(57)【要約】【課題】バッテリで装置を駆動しているときにバッテリがなくなると、記録ヘッドのノズル面をキャッピングできなくなってノズル内インクの増粘によって回復できない吐出不良が発生する。【解決手段】インクジェット記録装置１の入力電圧を監視して、入力電圧が十分でなくなったときには、印字動作をキャンセルして外部情報処理装置１０からの印刷情報を入力する入力端子１１から供給される電力でキャッピング駆動部８を駆動して、ヘッドキャッピング手段７によって記録ヘッド４のノズル面をキャッピングさせる。【選択図】図１
2008221755.tif 000002
【特許請求の範囲】
【請求項１】
液滴を吐出する複数のノズルを有する記録ヘッドと、
この記録ヘッドの前記ノズルが形成されたノズル面をキャッピングするキャッピング手段と、
外部から印刷情報を入力するとともに電力が供給される入力端子と、
主たる電源からの給電が得られなくなるときに前記入力端子を通じて供給される電力で前記キャッピング手段を駆動してキャッピングを行わせる手段と
を備えていることを特徴とする画像形成装置。
【請求項２】
請求項１に記載の画像形成装置において、装置全体を動作させる電力を供給する内部電池を備えていることを特徴とする画像形成装置。
【請求項３】
請求項１又は２に記載の画像形成装置において、外部電池が接続可能で、前記外部電池から供給される電力で装置全体が動作することを特徴とする画像形成装置。
【請求項４】
請求項１ないし３のいずれかに記載の画像形成装置において、前記入力端子を通じて供給される電力で前記記録ヘッドを搭載したキャリッジを前記キャッピング手段に対応する位置へ移動させる手段を備えていることを特徴とする画像形成装置。
【請求項５】
請求項１ないし４のいずれかに記載の画像形成装置において、前記記録ヘッドのノズル面を清掃するワイピング手段と、前記キャッピング手段でキャッピングした状態で吸引を行う吸引手段と、前記入力端子を通じて供給される電力で前記ワイピング手段による払拭動作及び前記吸引手段による吸引動作を行わせる手段とを備えていることを特徴とする画像形成装置。
【請求項６】
請求項１ないし３のいずれかに記載の画像形成装置において、前記入力端子を通じて供給される電力で記録液カートリッジの記録液を保温する発熱手段に給電されることを特徴とする画像形成装置。
【請求項７】
請求項１ないし３のいずれかに記載の画像形成装置において、前記入力端子を通じて供給される電力で給紙手段内に収容された被記録媒体を温める媒体加熱手段に給電されることを特徴とする画像形成装置。
【請求項８】
請求項１ないし３のいずれかに記載の画像形成装置において、前記入力端子を通じて供給される電力でファクシミリ通信部の受信動作に係わる部分に給電されることを特徴とする画像形成装置。
【請求項９】
請求項２又は３に記載の画像形成装置において、前記電池の残容量が所定量以下になったときに警告を出力する手段を備えていることを特徴とする画像形成装置。
【請求項１０】
請求項９に記載の画像形成装置において、前記警告を出力する手段は、操作部に対する警告表示の出力、警告音の出力、外部端末に対する警告情報の転送の少なくともいずれかを行うことを特徴とする画像形成装置。
【請求項１１】
請求項１に記載の画像形成装置において、前記入力端子を通じて供給される電力で充電されるバッテリを備えていることを特徴とする画像形成装置。
【請求項１２】
請求項１１に記載の画像形成装置において、前記バッテリは外部電源からの給電で充電されることを特徴とする画像形成装置。
【請求項１３】
請求項１ないし１２のいずれかに記載の画像形成装置において、前記入力端子を通じて供給される電力でキャッピング手段によるキャッピングを行わせるときには主たる電源から供給される電力でのキャッピング手段によるキャッピングを行わせるときよりも動作速度を遅くすることを特徴とする画像形成装置。
【発明の詳細な説明】
【技術分野】
【０００１】
本発明は液滴を吐出する記録ヘッドを備える画像形成装置に関する。
【背景技術】
【０００２】
一般に、プリンタ／ファックス／コピア或いはこれらの機能を複合した画像形成装置としては、例えば、記録液（液体）の液滴を吐出する液体吐出ヘッドで構成した記録ヘッドを含む液体吐出装置を用いて、媒体（以下「用紙」ともいうが材質を限定するものではなく、また、被記録媒体、記録媒体、転写材、記録紙なども同義で使用する。）を搬送しながら、液体としての記録液（以下、インクという。）を用紙に付着させて画像形成（記録、印刷、印写、印字も同義語で用いる。）を行なうものがある。
【０００３】
なお、本願において、画像形成装置は、紙、糸、繊維、布帛、皮革、金属、プラスチック、ガラス、木材、セラミックス等の媒体に液体を吐出して画像形成を行う装置を意味する。また、画像形成とは、文字や図形等の意味を持つ画像を媒体に対して付与することだけでなく、パターン等の意味を持たない画像を媒体に付与することをも意味する。また、液体とはインクに限るものではなく、パターンニング材料、ＤＮＡ試料、その他の流体、若しくは吐出可能であれば実質的に流体とみなせる粉体も含まれる。液体吐出装置とは、液体吐出ヘッドから液体を吐出する装置を意味し、画像形成を行うものに限定されるものではない。
【０００４】
このような画像形成装置として、特許文献１には燃料電池を主電源又は補助電源として備えることが、特許文献２にはコンピュータからＵＳＢインターフェースを介して電力の供給を受けて記録動作を行うことが、特許文献３には電池電源の残量を検知してそれに応じたメンテナンス動作を行うことが、特許文献４には充電池を備えてメイン電源未作動時に所定時間毎に充電池によって維持回復動作を行うことがそれぞれ記載されている。
【特許文献１】特開２００６−１８７９５３号公報
【特許文献２】特開２００２−０３６５１６号公報
【特許文献３】特開２００５−１６９６７３号公報
【特許文献４】特許第３０１２６９１号公報
【発明の開示】
【発明が解決しようとする課題】
【０００５】
ところで、液体吐出方式の画像形成装置にあっては、記録ヘッドのノズル面の乾燥、汚れを防止しなければ良好な画像が得られなくなる。そこで、通常、記録ヘッドのノズルの性能を維持回復するために記録ヘッドのノズル面を覆うキャッピング手段、ノズル面を払拭するワイピング手段、キャッピング状態で吸引を行う吸引手段などを含む維持回復機構（装置）を備えて、印字動作終了後は記録ヘッドのノズル面をキャッピングするようにしている。
【０００６】
ところが、例えば画像形成装置が、商用電源ではなく、電池（バッテリ）や車載用電池（バッテリ）を主たる電源として動作しているとき、記録ヘッドのノズル面をキャッピングする前に電源がダウンしそのまま放置されると、記録ヘッドのノズル面が乾燥してしまい、ノズル内のインクが増粘して目詰まりを起こし、回復できない吐出不良を発生することがあるという課題がある。
【０００７】
本発明は上記の課題に鑑みてなされたものであり、主たる電源がダウンするときでも最低限記録ヘッドのノズル面の乾燥を防止でき、回復できない吐出不良が発生しないようにすることを目的とする。
【課題を解決するための手段】
【０００８】
上記の課題を解決するため、本発明に係る画像形成装置は、液滴を吐出する複数のノズルを有する記録ヘッドと、この記録ヘッドのノズルが形成されたノズル面を覆うキャッピング手段と、外部から印刷情報を入力するとともに電力が供給される入力端子と、主たる電源からの給電が得られなくなるときに入力端子を通じて供給される電力でキャッピング手段によるキャッピングを行わせる手段とを備えている構成とした。
【０００９】
ここで、装置全体を動作させる電力を供給する内部電池を備えている構成、外部電池が接続可能で、外部電池から供給される電力で装置全体が動作する構成とできる。
【００１０】
また、入力端子を通じて供給される電力で記録ヘッドを搭載したキャリッジをキャッピング手段に対応する位置へ移動させる手段を備えている構成とできる。また、記録ヘッドのノズル面を清掃するワイピング手段と、キャッピング手段でキャッピングした状態で吸引を行う吸引手段と、入力端子を通じて供給される電力でワイピング手段による払拭動作及び吸引手段による吸引動作を行わせる手段とを備えている構成とできる。
【００１１】
また、入力端子を通じて供給される電力で記録液カートリッジの記録液を保温する発熱手段に給電される構成とできる。また、入力端子を通じて供給される電力で給紙手段内に収容された被記録媒体を温める媒体加熱手段に給電される構成とできる。また、入力端子を通じて供給される電力でファクシミリ通信部の受信動作に係わる部分に給電される構成とできる。
【００１２】
また、電池の残容量が所定量以下になったときに警告を出力する手段を備えている構成とできる。この場合、警告を出力する手段は、操作部に対する警告表示の出力、警告音の出力、外部端末に対する警告情報の転送の少なくともいずれかを行う構成とできる。
【００１３】
また、入力端子を通じて供給される電力で充電されるバッテリを備えている構成とできる。この場合、バッテリは外部電源からの給電でも充電される構成とできる。
【００１４】
また、入力端子を通じて供給される電力でキャッピング手段によるキャッピング動作を行わせるときには外部電源から供給される電力でキャッピング手段によるキャッピング動作を行わせるときよりも動作速度を遅くする構成とできる。
【発明の効果】
【００１５】
本発明に係る画像形成装置によれば、外部から印刷情報を入力するとともに電力が供給される入力端子と、主たる電源からの給電が得られなくなるときに入力端子を通じて供給される電力でキャッピング手段によるキャッピング動作を行わせる手段とを備えているので、主たる電源がダウンするときでも最低限記録ヘッドのノズル面の乾燥を防止でき、回復できない吐出不良が発生しないようにすることができる。
【発明を実施するための最良の形態】
【００１６】
以下、本発明の実施の形態について添付図面を参照して説明する。本発明の第1実施形態について図１及び図２を参照して説明する。なお、図１は同実施形態を説明するブロック説明図、図２は同じくキャッピング手段の説明に供する要部説明図である。
画像形成装置としてのインクジェット記録装置１は、例えば、図２に示すようにガイドロッド２で案内されて移動走査するキャリッジ３に液滴を吐出する複数のノズルを有する複数個の記録ヘッド４を備え、キャリッジ３を移動走査しながら図示しない被記録媒体を間歇的に搬送して記録ヘッド４から液滴を吐出することで被記録媒体に所要の画像を形成する。このため、図１に示すように、各機構を駆動する各機構駆動部（エンジン部）５、各部を制御するプリンタ制御部６などを備えている。そして、各機構駆動部５には、各記録ヘッド４のノズル面（ノズルが形成された面）を覆うシャッタ部材で構成したキャッピング手段７（図２参照）を駆動するキャッピング駆動部８、例えばキャッピング手段７を進退させるソレノイドなどの駆動源を駆動する手段を備えている。
【００１７】
このインクジェット記録装置１には、パーソナルコンピュータなどの外部情報処理装置（ＰＣ）１０からの印刷情報が入力端子１１に入力され、入力端子１１に入力された印刷情報はプリンタ制御部６に与えられ、前述したように画像形成動作が行われる。また、入力端子１１には情報処理装置（ＰＣ）１０から電力が供給される。この入力端子１１としては、例えばＵＳＢインターフェースなどを用いることができる。
【００１８】
このインクジェット記録装置１には、外部電源２０から電力が供給されて内部のマシン内電源機構２１に給電され、このマシン内電源機構２１によって各機構駆動部５、プリンタ制御部７などに所要の電力が給電される。また、入力端子１１を介して外部情報処理装置１０から供給される電力もマシン内電源機構２１に与えられている。この電源機構２１は外部電源２０が遮断されたときに自動電源切替回路によって非常用バッテリに給電回路が切替る。
【００１９】
このように構成したインクジェット記録装置の制御について図３を参照して説明する。
外部情報処理装置１０でインクジェット記録装置１の入力電圧の監視を開始し、入力電圧が必要量に対して十分か否かを判別し、入力電圧が必要量に対して十分であれば、印字動作を行い、記録ヘッド４のノズル面をキャッピング手段７でキャッピングして動作を終了する。これに対して、入力電圧が必要量に対して十分でなければ、印字動作をキャンセルして外部情報処理装置１０からの印刷情報を入力する入力端子１１から供給される電力でキャッピング駆動部８を駆動して、ヘッドキャッピング手段７によって記録ヘッド４のノズル面をキャッピングさせる。
【００２０】
これにより、主たる電源がダウンするときでも最低限記録ヘッドのノズル面の乾燥を防止でき、回復できない吐出不良が発生しないようにすることができる。
【００２１】
次に、本発明の第２実施形態について図４を参照して説明する。なお、図４は同実施形態を説明するブロック説明図である。
この実施形態は、インクジェット記録装置１全体を動作させる主たる電源として内部電池２２を備えたものである。したがって、内部電池２２の電位が低下したときには第１実施形態と同様に、外部情報処理装置１０からの印刷情報を入力する入力端子１１から供給される電力でキャッピング駆動部８を駆動して、ヘッドキャッピング手段７によって記録ヘッド４のノズル面をキャッピングさせ、記録ヘッドのノズル面の乾燥を防止した状態で装置を停止することができる。
【００２２】
次に、本発明の第３実施形態について図５を参照して説明する。なお、図５は同実施形態を説明するブロック説明図である。
この実施形態は、インクジェット記録装置１全体を動作させる主たる電源として外部に車載用バッテリ２３を備えたものである。したがって、車載用バッテリ２３の電位が低下したときには第１実施形態と同様に、外部情報処理装置１０からの印刷情報を入力する入力端子１１から供給される電力でキャッピング駆動部８を駆動して、ヘッドキャッピング手段７によって記録ヘッド４のノズル面をキャッピングさせ、記録ヘッドのノズル面の乾燥を防止した状態で装置を停止することができる。
【００２３】
次に、本発明の第４実施形態について図６及び図７を参照して説明する。なお、図６は同実施形態を説明するブロック説明図、図７は同じく維持回復機構の説明に供する要部説明図である。
この実施形態では、図７に示すように、記録ヘッド４の維持回復機構３１はキャップホルダ３３に保持された各記録ヘッド４に対応するキャッピング手段としてキャップ部材３２を備えている。各キャップ部材３２はキャップホルダ３３が内部のキャッピング駆動部８によって上昇されることで記録ヘッド４のノズル面をキャッピングする。
【００２４】
そして、図６に示すように維持回復機構３１のキャッピング駆動部８とともに、キャリッジ３を維持回復機構３１に対応する位置へ移動させるキャリッジ駆動部３５を備えている。なお、このキャリッジ駆動部３５は通常印刷時にはキャリッジ３の主走査方向への移動走査を行うものである。
【００２５】
このように構成したインクジェット記録装置の制御について図８を参照して説明する。
外部情報処理装置１０でインクジェット記録装置１の入力電圧の監視を開始し、入力電圧が必要量に対して十分か否かを判別し、入力電圧が必要量に対して十分であれば、印字動作を行い、キャリッジ駆動部３５によってキャリッジ３を維持回復機構３１の位置まで移動させ（図７（ａ）の状態）、その後キャッピング駆動部５で維持回復機構３１のキャップホルダ３３を上昇させてキャップ部材３２によって記録ヘッド４のノズル面をキャッピングさせ（図７（ｂ）の状態）して動作を終了する。これに対して、入力電圧が必要量に対して十分でなければ、印字動作をキャンセルして外部情報処理装置１０からの印刷情報を入力する入力端子１１から供給される電力でキャリッジ駆動部３５によってキャリッジ３を維持回復機構３１の位置まで移動させ（図７（ａ）の状態）、その後キャッピング駆動部５で維持回復機構３１のキャップホルダ３３を上昇させてキャップ部材３２によって記録ヘッド４のノズル面をキャッピングさせ動作を停止する。
【００２６】
これにより、主たる電源がダウンするときでも最低限記録ヘッドのノズル面の乾燥を防止でき、回復できない吐出不良が発生しないようにすることができる。
【００２７】
次に、本発明の第５実施形態について図９及び図１０を参照して説明する。なお、図９は同実施形態を説明するブロック説明図、図１０は同じく維持回復機構の説明に供する要部説明図である。
この実施形態では、図１０に示すように、記録ヘッド４の維持回復機構３１はキャップホルダ３３に保持された各記録ヘッド４に対応するキャップ部材３２と、ワイパホルダ３７に保持された記録ヘッド４のノズル面を払拭して清浄化するワイピング手段としてワイピング部材３６と、キャップ部材３２でキャッピングした状態で吸引を行う吸引手段として吸引ポンプ３８を備えている。
【００２８】
そして、図９に示すように維持回復機構３１のキャッピング駆動部８、キャリッジ駆動部３５とともに、ワイパホルダ３７を上昇させるワイピング駆動部３９、吸引ポンプ３８を駆動する吸引ポンプ駆動部４０を備えている。なお、これらのキャッピング駆動部８、ワイピング駆動部３９、吸引ポンプ駆動部４０は１つの駆動部とすることもできる。
【００２９】
このように構成したインクジェット記録装置の制御について図１１を参照して説明する。なお、図１１は待機中の制御の説明に供するフロー図であり、通常印字時は前述した図３と同様である。
先ず、待機中において、前回の印字からの経過時間が、インクが固まるまでの所定時間以下である否かを判別し、経過時間が所定時間以下であれば待機状態に移行する。これに対して、経過時間が所定時間を越えていれば、外部情報処理装置１０でインクジェット記録装置１の入力電圧の監視を開始し、入力電圧が必要量に対して十分か否かを判別する。
【００３０】
このとき、入力電圧が必要量に対して十分であれば、通常電力で吸引ポンプ３８を作動してヘッド吸引動作（キャップ部材３２でノズル面をキャッピングした状態でキャップ部材３２内を負圧にしてノズルからインクを吸引する動作、図１０（ｂ））を行い、キャップ部材３２を下降させて、通常電力でワイピング部材３６を上昇させ、キャリッジ３をワイピング部材３６に対して相対的に移動させてノズル面を払拭するワイピング動作（図１０（ｃ）〜（ｅ））を行い、その後通常電力でキャップ部材３２を上昇させてノズル面をキャッピングする。
【００３１】
これに対して、入力電圧が必要量に対して十分でなければ、外部情報処理装置１０からの印刷情報を入力する入力端子１１から供給される電力で吸引ポンプ駆動部４０を駆動して吸引ポンプ３８を作動させることでヘッド吸引動作を行い、入力端子１１から供給される電力でワイピング駆動部３９を駆動してワイピング部材３６を上昇させ、入力端子１１から供給される電力でキャリッジ駆動部３５を駆動してキャリッジ３をワイピング部材３６に対して相対的に移動させてワイピング動作を行い、その後入力端子１１から供給される電力でキャッピング駆動部８を駆動してキャップ部材３２を上昇させてノズル面をキャッピングする。
【００３２】
これにより、印字時だけでなく、待機中に主たる電源がダウンするときにはヘッド吸引、ワイピング、キャッピングを行ってノズル面の乾燥を防止でき、回復できない吐出不良が発生しないようにすることができる。
【００３３】
次に、本発明の第６実施形態について図１２を参照して説明する。なお、図１２は同実施形態を説明するブロック説明図である。
この実施形態では、記録液カートリッジの記録液であるインクを保温するための発熱手段であるインク保温用ヒータ４１を備えている。
【００３４】
このように構成したインクジェット記録装置の制御について図１３を参照して説明する。なお、図１３は待機中の制御の説明に供するフロー図であり、通常印字時は前述した図３と同様である。
先ず、待機中において、外部情報処理装置１０でインクジェット記録装置１の入力電圧の監視を開始し、入力電圧が必要量に対して十分か否かを判別する。このとき、入力電圧が必要量に対して十分であれば、通常電力でインク保温用ヒータ４１に給電して発熱させる。これに対して、入力電圧が必要量に対して十分でなければ、外部情報処理装置１０からの印刷情報を入力する入力端子１１から供給される電力でインク保温用ヒータ４１に給電して発熱させる。
【００３５】
これにより、待機中でも主たる電源がダウンするときにはインクを保温することができる。
【００３６】
次に、本発明の第７実施形態について図１４を参照して説明する。なお、図１４は同実施形態を説明するブロック説明図である。
この実施形態では、給紙手段である給紙カセット内に収容されている被記録媒体を加熱するための発熱手段である給紙カセット内ヒータ４２を備えている。
【００３７】
このように構成したインクジェット記録装置の制御について図１５を参照して説明する。なお、図１５は待機中の制御の説明に供するフロー図であり、通常印字時は前述した図３と同様である。
先ず、待機中において、外部情報処理装置１０でインクジェット記録装置１の入力電圧の監視を開始し、入力電圧が必要量に対して十分か否かを判別する。このとき、入力電圧が必要量に対して十分であれば、通常電力で給紙カセット内ヒータ４２に給電して発熱させる。これに対して、入力電圧が必要量に対して十分でなければ、外部情報処理装置１０からの印刷情報を入力する入力端子１１から供給される電力で給紙カセット内ヒータ４２に給電して発熱させる。
【００３８】
これにより、待機中でも主たる電源がダウンするときには給紙カセット内の被記録媒体を所要の温度に維持することができる。
【００３９】
次に、本発明の第８実施形態について図１６を参照して説明する。なお、図１６は同実施形態を説明するブロック説明図である。
この実施形態では、ファクシミリ受信を行うファクシミリ受信部４３を備えている。
【００４０】
このように構成したインクジェット記録装置の制御について図１７を参照して説明する。なお、図１７は待機中の制御の説明に供するフロー図であり、通常印字時は前述した図３と同様である。
先ず、待機中において、外部情報処理装置１０でインクジェット記録装置１の入力電圧の監視を開始し、入力電圧が必要量に対して十分か否かを判別する。このとき、入力電圧が必要量に対して十分であれば、通常電力でファクシミリ受信部４３を動作させる。これに対して、入力電圧が必要量に対して十分でなければ、外部情報処理装置１０からの印刷情報を入力する入力端子１１から供給される電力でファクシミリ受信部４３が動作する。
【００４１】
これにより、待機中でも主たる電源がダウンするときにはファクシミリ受信を行うことができる。
【００４２】
次に、本発明の第９実施形態について図１８を参照して説明する。なお、図１８は同実施形態の説明に供する待機中の制御の説明に供するフロー図であり、通常印字時は前述した図３と同様である。
この実施形態は、前記第２、第３実施形態の構成で、待機中において、外部情報処理装置１０でインクジェット記録装置１の入力電圧の監視を開始し、入力電圧が必要量に対して十分か否かを判別する。このとき、入力電圧が必要量に対して十分であれば、そのまま待機状態を継続する。これに対して、入力電圧が必要量に対して十分でなければ、図示しない操作部に「入力電圧が不足しています。ＰＣの接続を解除しないで下さい。」との警告メッセージを表示出力して待機状態を継続する。
【００４３】
これにより、待機中に主たる電源外部がダウンするときに情報処理装置の接続が解除されて入力端子から給電が行えなくなることを防止できる。
【００４４】
次に、本発明の第１０実施形態について図１９を参照して説明する。なお、図１９は同実施形態の説明に供する待機中の制御の説明に供するフロー図であり、通常印字時は前述した図３と同様である。
この実施形態は、前記第２、第３実施形態の構成で、待機中において、外部情報処理装置１０でインクジェット記録装置１の入力電圧の監視を開始し、入力電圧が必要量に対して十分か否かを判別する。このとき、入力電圧が必要量に対して十分であれば、そのまま待機状態を継続する。これに対して、入力電圧が必要量に対して十分でなければ、図示しない警告音発生手段を通じて警告音を出力して待機状態を継続する。
【００４５】
これにより、待機中に主たる電源外部がダウンするときに情報処理装置の接続が解除されて入力端子から給電が行えなくなることを防止できる。
【００４６】
次に、本発明の第１１実施形態について図２０を参照して説明する。なお、図２０は同実施形態の説明に供する待機中の制御の説明に供するフロー図であり、通常印字時は前述した図３と同様である。
この実施形態は、前記第２、第３実施形態の構成で、待機中において、外部情報処理装置１０でインクジェット記録装置１の入力電圧の監視を開始し、入力電圧が必要量に対して十分か否かを判別する。このとき、入力電圧が必要量に対して十分であれば、そのまま待機状態を継続する。これに対して、入力電圧が必要量に対して十分でなければ、外部情報処理装置１０に「入力電圧が不足しています。ＰＣ本体との接続を解除しないで下さい。」との警告メッセージを表示出力して待機状態を継続する。
【００４７】
これにより、待機中に主たる電源外部がダウンするときに情報処理装置の接続が解除されて入力端子から給電が行えなくなることを防止できる。
【００４８】
次に、本発明の第１２実施形態について図２１を参照して説明する。なお、図２１は同実施形態を説明するブロック説明図である。
この実施形態では、インクジェット記録装置装置１の内部に外部情報処理装置１０からの印刷情報を入力する入力端子１１から供給される電力で充電されるバッテリ５１を備えている。
【００４９】
これにより、主たる電源がダウンするときにはバッテリ５１からの給電に切り換えてキャッピング動作を行うことができて、より安定したキャッピング動作を行うことができる。
【００５０】
次に、本発明の第１３実施形態について図２２を参照して説明する。なお、図２２は同実施形態を説明するブロック説明図である。
この実施形態では、インクジェット記録装置装置１の内部に外部情報処理装置１０からの印刷情報を入力する入力端子１１から供給される電力で充電されるバッテリ５１を備え、更にこのバッテリ５１を外部電源２０からの給電で充電するようにしている。
【００５１】
これにより、主たる電源がダウンするときにはバッテリ５１からの給電に切り換えてキャッピング動作を行うことができて、より安定したキャッピング動作を行うことができるとともに、バッテリ５１の充電を確実に行うことができる。
【図面の簡単な説明】
【００５２】
【図１】本発明の第１実施形態を説明するブロック説明図である。
【図２】同じくキャッピング手段を説明する要部説明図である。
【図３】同じく動作説明に供するフロー図である。
【図４】本発明の第２実施形態を説明するブロック説明図である。
【図５】本発明の第３実施形態を説明するブロック説明図である。
【図６】本発明の第４実施形態を説明するブロック説明図である。
【図７】同じく維持回復機構を説明する要部説明図である。
【図８】同じく動作説明に供するフロー図である。
【図９】本発明の第５実施形態を説明するブロック説明図である。
【図１０】同じく維持回復機構を説明する要部説明図である。
【図１１】同じく動作説明に供するフロー図である。
【図１２】本発明の第６実施形態を説明するブロック説明図である。
【図１３】同じく動作説明に供するフロー図である。
【図１４】本発明の第７実施形態を説明するブロック説明図である。
【図１５】同じく動作説明に供するフロー図である。
【図１６】本発明の第８実施形態を説明するブロック説明図である。
【図１７】同じく動作説明に供するフロー図である。
【図１８】本発明の第９実施形態の説明に供するフロー図である。
【図１９】本発明の第１０実施形態の説明に供するフロー図である。
【図２０】本発明の第１１実施形態の説明に供するフロー図である。
【図２１】本発明の第１２実施形態を説明するブロック説明図である。
【図２２】本発明の第１３実施形態を説明するブロック説明図である。
【符号の説明】
【００５３】
１…インクジェット記録装置
３…キャリッジ
４…記録ヘッド
５…各駆動機構部
６…プリンタ制御部
７…キャッピング手段
８…キャッピング駆動部
１０…外部情報処理装置
１１…入力端子
２０…外部電源
２１…内部電池
２２…車載用バッテリ
【図１】
2008221755.tif 000003
【図２】
2008221755.tif 000004
【図３】
2008221755.tif 000005
【図４】
2008221755.tif 000006
【図５】
2008221755.tif 000007
【図６】
2008221755.tif 000008
【図７】
2008221755.tif 000009
【図８】
2008221755.tif 000010
【図９】
2008221755.tif 000011
【図１０】
2008221755.tif 000012
【図１１】
2008221755.tif 000013
【図１２】
2008221755.tif 000014
【図１３】
2008221755.tif 000015
【図１４】
2008221755.tif 000016
【図１５】
2008221755.tif 000017
【図１６】
2008221755.tif 000018
【図１７】
2008221755.tif 000019
【図１８】
2008221755.tif 000020
【図１９】
2008221755.tif 000021
【図２０】
2008221755.tif 000022
【図２１】
2008221755.tif 000023
【図２２】
2008221755.tif 000024